(57)【要約】【課題】  磁気シートに記載された文字等を簡単に文字等を消去することができる磁気消去具を提供する。【解決手段】  本発明の磁気消去具１００は、磁気シート１８０に対する摺動面（１１２、１１４）を含み、かつ内部空間が形成されたハウジング１１０と、ハウジング１１０内に収容された磁石１２０と、ハウジング１１０内に収容され、磁石１２０を回転機構１３０を介して回転させるモーター１４０と、ハウジング１１０内に収容され、モーター１４０電力を供給する電池１６０とを有する。磁石１２０から摺動面（１１２、１１４）までの距離が可変である。【選択図】  図１
2019072908.tif 000002
【特許請求の範囲】
【請求項１】
磁気シートまたは磁気パネルに描画された文字、図形、記号等を消去する磁気消去具であって、
前記磁気シートに対する摺動面を含み、かつ内部空間が形成されたハウジングと、
前記ハウジング内に収容された少なくとも１つの第１の磁石と、
前記ハウジング内に収容され、前記第１の磁石を回転させる回転手段と、
前記ハウジング内に収容され、前記回転手段に電力を供給する電池とを有し、
前記第１の磁石から前記摺動面までの距離が可変である、磁気消去具。
【請求項２】
前記第１の磁石は、円筒状または角柱状の磁石を複数含み、複数の円筒状の磁石または角柱状が軸によって直列に連結されている、請求項１に記載の磁気消去具。
【請求項３】
前記ハウジングはさらに、前記摺動面と異なる面上に、前記磁気シートに描画された文字等を消去するための突起部を有し、当該突起部の内部空間には第２の磁石が配置されている、請求項１に記載の磁気消去具。
【請求項４】
前記第２の磁石は、前記第１の磁石と同軸上にあり、前記第１の磁石が回転するとき前記第２の磁石も回転する、請求項３に記載の磁気消去具。
【請求項５】
前記第２の磁石の回転軸は、歯車を介して前記第１の磁石の回転軸に接続され、前記第１の磁石が回転するとき前記第２の磁石も回転する、請求項３に記載の磁気消去具。
【請求項６】
前記第２の磁石は、前記突起部内に静止した状態で保持される、請求項３に記載の磁気消去具。
【請求項７】
磁気消去具はさらに、前記突起部の外周を、前記突起部の軸方向に沿うように移動可能な磁気シールドリングを含む、請求項３ないし６いずれか１つに記載の磁気消去具。
【請求項８】
前記突起部の先端から磁気シールドリングまでの距離を可変することで、前記突起部による消去範囲が調整される、請求項７に記載の磁気消去具。
【請求項９】
前記第１の磁石と前記摺動面との間には、前記回転手段および前記電池が配置されない、請求項１に記載の磁気消去具。
【請求項１０】
前記回転手段および前記電池は、前記第１の磁石が配置される空間とは分離された空間内に配置される、請求項１に記載の磁気消去具。
【請求項１１】
前記回転手段および前記電池は、前記第１の磁石が配置される空間内において前記第１の磁石から最も距離が大きくなる位置に配置される、請求項１に記載の磁気消去具。
【請求項１２】
磁気シートまたは磁気パネルに描画された文字、図形、記号等を消去する磁気消去具であって、
内部空間が形成されたハウジングと、
前記ハウジング内に収容された少なくとも１つの第１の磁石と、
前記ハウジング内に収容され、前記第１の磁石を回転させる回転手段と、
前記ハウジング内に収容され、前記回転手段に電力を供給する電池とを有し、
前記ハウジングは、底面、前記底面に対向する上面、前記底面および前記上面の間の対向する２つの側面を含み、前底面、前記上面、および前記２つの側面との間に形成されるコーナー部分に第２の磁石が配置される、磁気消去具。
【請求項１３】
磁気シートまたは磁気パネルに描画された文字、図形、記号等を消去する磁気消去具であって、
内部空間が形成されたハウジングと、
前記ハウジング内に収容された少なくとも１つの磁石と、
前記ハウジング内に収容され、前記磁石を回転させる回転手段と、
前記ハウジング内に収容され、前記回転手段に電力を供給する電池とを有し、
前記ハウジングは、底面、前記底面に対向する上面、前記底面および前記上面の間の対向する２つの側面を含み、
前記磁石の中心軸から前記底面、前記上面、前記２つ側面までの距離がそれぞれ異なり、前記底面、前記上面および前記２つ側面は、消去面として機能する、磁気消去具。
【請求項１４】
磁気シートまたは磁気パネルに描画された文字、図形、記号等を消去する磁気消去具であって、
内部空間が形成されたハウジングと、
前記ハウジング内に収容された少なくとも１つの磁石と、
前記ハウジング内に収容され、前記磁石を回転させる回転手段と、
前記ハウジング内に収容され、前記回転手段に電力を供給する電池とを有し、
前記ハウジングは、ハウジング本体部と、前記ハウジング本体部に対して軸方向に移動することができるハウジング先端部とを含み、
前記磁石の表面から前記ハウジング先端部までの表面までの距離が可変される、磁気消去具。
【請求項１５】
磁気消去具はさらに、前記ハウジング先端部を前記ハウジング本体部から離間する方向に付勢するバネ部材を含む、請求項１４に記載の磁気消去具。
【請求項１６】
磁気シートまたは磁気パネルに描画された文字、図形、記号等を消去する磁気消去具であって、
内部空間が形成されたハウジングと、
前記ハウジング内に収容された少なくとも１つの磁石と、
前記ハウジング内に収容され、前記磁石を回転させる回転手段と、
前記ハウジング内に収容され、前記回転手段に電力を供給する電池と、
前記第１の磁石が前記電池によって駆動されないとき、前記磁石の静止位置を調整するためのユーザー操作部と、
を有する磁気消去具。
【請求項１７】
前記ユーザー操作部は、前記第１の磁石と同軸上の回転ツマミであり、当該回転ネジの一部が前記ハウジングの溝から外部に露出する、請求項１６に記載の磁気消去具。
【請求項１８】
前記回転ツマミの外周部に、磁石の静止位置を調整するための識別マークが設けられる、請求項１７に記載の磁気消去具。
【請求項１９】
前記磁石は、複数の磁石を含み、各磁石は、前記ハウジング内において回転可能に取り付けられ、前記複数の磁石の中から選択された１つの磁石が前記回転手段により回転され、
前記選択された１つの磁石が第１の方向に回転されたとき、他の隣接する磁石が第１の方向とは反対の第２の方向に回転される、請求項１６または１７に記載の磁気消去具。
【請求項２０】
前記複数の磁石のうちの少なくとも２つの磁石は、前記磁気シートから異なる距離に配置される、請求項１９に記載の磁気消去具。
【請求項２１】
前記摺動面は、前記第１の磁石の回転軸からの距離が変化するように可動することができる、請求項１に記載の磁気消去具。
【請求項２２】
前記摺動面は、前記第１の磁石の回転軸に対して傾斜可能である、請求項２０に記載の磁気消去具。
【請求項２３】
磁気シートまたは磁気パネルに描画された文字、図形、記号等を消去する磁気消去具であって、
内部空間が形成されたハウジングと、
前記ハウジング内に収容された少なくとも１つの第１の磁石と、
前記ハウジング内に収容され、前記第１の磁石を回転させる回転手段と、
前記ハウジング内に収容され、前記回転手段に電力を供給する電池とを有し、
前記ハウジングは、ハウジング本体部と、前記ハウジング本体部に対して軸方向に移動することができるハウジング先端部とを含み、
前記ハウジング先端部内に第２の磁石が配置される、磁気消去具。
【請求項２４】
前記第２の磁石は、前記第１の磁石が回転されるとき同時に回転される、請求項２３に記載の磁気消去具。
【請求項２５】
前記第２の磁石の表面から前記ハウジング先端部までの表面までの距離が可変される、請求項２３または２４に記載の磁気消去具。
【発明の詳細な説明】
【技術分野】
【０００１】
本発明は、磁性を帯びた表示体を含む磁気シートまたは磁気パネルに描画された文字、図形、記号等を消去する磁気消去具に関し、特に、磁気シートまたは磁気パネルに作用させる磁界の方向を変化させることにより消去効率を向上した磁気消去具に関する。
【背景技術】
【０００２】
マイクロカプセル内に磁性粒子と分散液を含む磁気パネルにおいて、先端に磁石を備えた磁気ペンからの磁界を作用させることにより、マイクロカプセル内の磁性粒子を泳動させ所望の文字、記号、絵等を描画する、磁気泳動型の磁気パネルが実用化されている。また、表裏をＮ極およびＳ極とした磁性体であって、各磁極を異なる色で着色した表示対を用いることで所望の文字等を描画する磁気反転型の磁気パネルも実用化されている。
【０００３】
磁気パネルに描画された文字、記号等は、磁気を帯びた消去具（以下、磁気消去具と呼ぶことがある）を磁気パネルの表面または裏面に作用させることにより、消去することができる。例えば、特許文献１の記録装置は、マイクロカプセルを有する記録用の磁気シートと、磁気シートの裏面側に設けられた消去用シートとを備え、モーターの動力を利用して、消去用シートを磁気シートに対してほぼ平行な姿勢を保ちながら往復運動させることで磁気シートの文字、図形を消去している。特許文献２は、記録時に作用させた磁力とは反対方向の磁力を記載面から作用させることで、文字、図形等の消去を可能にする磁性体反転表示パネル用磁性配向具を開示している。特許文献３は、上消し可能なマイクロカプセル磁気泳動表示シートにおいて、マイクロカプセル内に２種類以上の磁性粒子を包含する磁気泳動表示シートを開示している。
【先行技術文献】
【特許文献】
【０００４】
【特許文献１】特開２０００−２７６０８２号公報
【特許文献２】国際公開ＷＯ  ０１／０４８５４８
【特許文献３】特許第４０８９８０８号
【発明の概要】
【発明が解決しようとする課題】
【０００５】
本発明は、このような従来の課題を解決するものであり、磁気シートに記載された文字等をきれいに消去することができる磁気消去具を提供することを目的とする。
さらに本発明は、磁気シートに記載された文字等を広範囲または小範囲で操作性良く消去することができる磁気消去具を提供することを目的とする。
さららに本発明は、磁気シートに磁気ペンで描画する表面側からでも裏面側からでも消去することができる磁気消去具を提供することを目的とする。
【課題を解決するための手段】
【０００６】
本発明に係る磁気消去具は、磁気シートまたは磁気パネルに描画された文字、図形、記号等を消去するものであって、前記磁気シートに対する摺動面を含み、かつ内部空間が形成されたハウジングと、前記ハウジング内に収容された少なくとも１つの第１の磁石と、前記ハウジング内に収容され、前記第１の磁石を回転させる回転手段と、前記ハウジング内に収容され、前記回転手段に電力を供給する電池とを有し、前記第１の磁石から前記摺動面までの距離が可変である。
【０００７】
ある実施態様では、前記第１の磁石は、円筒状の磁石または角柱状の磁石を複数含み、複数の円筒状の磁石または角柱状の磁石が軸によって直列に連結されている。ある実施態様では、前記ハウジングはさらに、前記摺動面と異なる面上に、前記磁気シートに描画された文字等を消去するための突起部を有し、当該突起部の内部空間には第２の磁石が配置されている。ある実施態様では、前記第２の磁石は、前記第１の磁石と同軸上にあり、前記第１の磁石が回転するとき前記第２の磁石も回転する。ある実施態様では、前記第２の磁石の回転軸は、歯車を介して前記第１の磁石の回転軸に接続され、前記第１の磁石が回転するとき前記第２の磁石も回転する。ある実施態様では、前記第２の磁石は、前記突起部内に静止した状態で保持される。ある実施態様では、磁気消去具はさらに、前記突起部の外周を、前記突起部の軸方向に沿うように移動可能な磁気シールドリングを含む。ある実施態様では、前記突起部の先端から磁気シールドリングまでの距離を可変することで、前記突起部による消去範囲が調整される。ある実施態様では、前記第１の磁石と前記摺動面との間には、前記回転手段および前記電池が配置されない。ある実施態様では、前記回転手段および前記電池は、前記第１の磁石が配置される空間とは分離された空間内に配置される。ある実施態様では、前記回転手段および前記電池は、前記第１の磁石が配置される空間内において前記第１の磁石から最も距離が大きくなる位置に配置される。
【０００８】
さらに本発明に係る磁気消去具は、磁気シートまたは磁気パネルに描画された文字、図形、記号等を消去するものであって、内部空間が形成されたハウジングと、前記ハウジング内に収容された少なくとも１つの第１の磁石と、前記ハウジング内に収容され、前記第１の磁石を回転させる回転手段と、前記ハウジング内に収容され、前記回転手段に電力を供給する電池とを有し、前記ハウジングは、底面、前記底面に対向する上面、前記底面および前記上面の間の対向する２つの側面を含み、前底面、前記上面、および前記２つの側面との間に形成されるコーナー部分に第２の磁石が配置される。
【０００９】
さらに本発明に係る磁気消去具は、磁気シートまたは磁気パネルに描画された文字、図形、記号等を消去するものであって、内部空間が形成されたハウジングと、前記ハウジング内に収容された少なくとも１つの磁石と、前記ハウジング内に収容され、前記磁石を回転させる回転手段と、前記ハウジング内に収容され、前記回転手段に電力を供給する電池とを有し、前記ハウジングは、底面、前記底面に対向する上面、前記底面および前記上面の間の対向する２つの側面を含み、前記磁石の中心軸から前記底面、前記上面、前記２つ側面までの距離がそれぞれ異なり、前記底面、前記上面および前記２つ側面は、消去面として機能する。
【００１０】
さらに本発明に係る磁気消去具は、磁気シートまたは磁気パネルに描画された文字、図形、記号等を消去するものであって、内部空間が形成されたハウジングと、前記ハウジング内に収容された少なくとも１つの磁石と、前記ハウジング内に収容され、前記磁石を回転させる回転手段と、前記ハウジング内に収容され、前記回転手段に電力を供給する電池とを有し、前記ハウジングは、ハウジング本体部と、前記ハウジング本体部に対して軸方向に移動することができるハウジング先端部とを含み、前記磁石の表面から前記ハウジング先端部までの表面までの距離が可変される。ある実施態様では、磁気消去具はさらに、前記ハウジング先端部を前記ハウジング本体部から離間する方向に付勢するバネ部材を含む。
【００１１】
さらに本発明に係る磁気消去具は、磁気シートまたは磁気パネルに描画された文字、図形、記号等を消去するものであって、内部空間が形成されたハウジングと、前記ハウジング内に収容された少なくとも１つの磁石と、前記ハウジング内に収容され、前記磁石を回転させる回転手段と、前記ハウジング内に収容され、前記回転手段に電力を供給する電池と、前記第１の磁石が前記電池によって駆動されないとき、前記磁石の静止位置を調整するためのユーザー操作部と、を有する。ある実施態様では、前記ユーザー操作部は、前記第１の磁石と同軸上の回転ツマミであり、当該回転ツマミの一部が前記ハウジングの溝から外部に露出する。ある実施態様では、前記磁石は、複数の磁石を含み、各磁石は、前記ハウジング内において回転可能に取り付けられ、前記複数の磁石の中から選択された１つの磁石が前記回転手段により回転され、前記選択された１つの磁石が第１の方向に回転されたとき、他の隣接する磁石が第１の方向とは反対の第２の方向に回転される。ある実施態様では、前記複数の磁石のうちの少なくとも２つの磁石は、前記磁気シートから異なる距離に配置される。ある実施態様では、前記摺動面は、前記第１の磁石の回転軸からの距離が変化するように可動することができる。ある実施態様では、前記摺動面は、前記第１の磁石の回転軸に対して傾斜可能である。
【００１２】
さらに本発明に係る磁気消去具は、磁気シートまたは磁気パネルに描画された文字、図形、記号等を消去するものであって、内部空間が形成されたハウジングと、前記ハウジング内に収容された少なくとも１つの第１の磁石と、前記ハウジング内に収容され、前記第１の磁石を回転させる回転手段と、前記ハウジング内に収容され、前記回転手段に電力を供給する電池とを有し、前記ハウジングは、ハウジング本体部と、前記ハウジング本体部に対して軸方向に移動することができるハウジング先端部とを含み、前記ハウジング先端部内に第２の磁石が配置される。ある実施態様では、前記第２の磁石は、前記第１の磁石が回転されるとき同時に回転される。ある実施態様では、前記第２の磁石の表面から前記ハウジング先端部までの表面までの距離が可変される。
【発明の効果】
【００１３】
本発明によれば、磁気シートに描画された文字等をきれいに消去することができる。さらに本発明によれば、磁気シートへの描画された表面側からでも裏面側からでも文字等を消去することができる。さらに本発明によれば、磁気シートに描画された文字等の消去範囲を自在に変更することができる。
【図面の簡単な説明】
【００１４】
【図１】本発明の第１の実施例に係る磁気消去具を示す図である。
【図２】本発明の第２の実施例に係る磁気消去具を示す図である。
【図３】本発明の第２の実施例に係る磁気シールドリングの詳細を説明する図である。
【図４】本発明の第３の実施例および第４の実施例に係る磁気消去具を示す図である。
【図５】本発明の第５の実施例に係る磁気消去具を示す図である。
【図６】本発明の第６の実施例に係る磁気消去具を示す図である。
【図７】本発明の第７の実施例に係る磁気消去具を示す図である。
【図８】本発明の第８の実施例に係る磁気消去具を示す図である。
【図９】本発明の第９の実施例に係る磁気消去具を示す図である。
【図１０】本発明の第１０の実施例に係る磁気消去具を示す図である。
【図１１】本発明の第１１の実施例に係る磁気消去具を示す図である。
【図１２】本発明の第１２の実施例に係る磁気消去具を示す図である。
【図１３】図１３（Ａ）は、磁気パネルの構成例を示す断面図、図１３（Ｂ）は、磁気消去具による消去の一例を示す図である。
【発明を実施するための形態】
【００１５】
次に、本発明の実施の形態について図面を参照して詳細に説明する。本発明の好ましい態様では、磁気消去具は、磁界を動的に変化させる機構を有し、変化する磁界を磁気パネルに作用させることにより、磁気ペンによって磁気シート上に描画された文字、図形、記号等を消去する。さらに好ましい態様では、磁気消去具は、磁気パネルの記載面から磁界を作用させることにより文字等を消去することができ、記載面と対向する裏面側からでも磁界を作用させて消去することができる。なお、図面に示された各部の大きさは、必ずしも実際の製品の大きさとは一致しない点に留意すべきである。
【実施例】
【００１６】
次に、本発明の第１の実施例について図１を参照して説明する。図１（Ａ）は、第１の実施例に係る磁気消去具の模式的な断面図である。磁気消去具１００は、ハウジング１１０と、ハウジング１１０内に収容される磁石１２０と、磁石１２０を回転させるための回転機構１３０と、回転機構１３０を駆動するモーター１４０と、モーター１４０の動作を制御するための電子回路等を搭載した制御基盤１５０と、モーター１４０や電子回路への電力を供給するための電池（バッテリー）１６０とを含んで構成される。
【００１７】
ハウジング１１０は、任意の材料から構成することができるが、少なくとも磁気シートに描画された文字等の消去を行うための消去面は、磁力線を透過可能な材料、例えば、プラスチック等から構成される。ハウジング１１０の形状は、任意であるが、ここでは、その形状は、６面体を有する立方体状である。ハウジング１１０は、内部に立方体状の空間を形成し、この内部空間内に磁石１２０、回転機構１３０、モーター１４０、制御基盤１５０および電池１６０を収容する。
【００１８】
ハウジング１１０の底面１１２は、文字等を描画するための磁気シート１８０上を摺動する摺動面として機能し得る。１つの実施態様では、底面１１２には、磁気シート１８０との摩擦抵抗を低減し、または摺動を容易にするための摺動促進部材１１４が貼り付けられる。摺動促進部材１１４は、好ましくは、フェルト材であり、フェルト材は、例えば、磁気シート１８０上に、ホワイトボード用のマーカーで文字等が描画された場合、マーカーの文字等の消去を同時に行うことも可能である。
【００１９】
磁石１２０は、その形状を特に限定されないが、例えば、円柱状を有し、その軸方向に長さＬ１を有する。磁石１２０が円筒状であるとき、図１（Ｂ）に示すように、その回転軸Ｐの半径方向にＮ極およびＳ極が着磁されている。あるいは、磁石１２０Ａが角柱状であるとき、その回転軸Ｐに対して高さ方向にＮ極およびＳ極が着磁されている。磁石１２０の中心には回転軸１２２が取り付けられ、この回転軸１２２は、回転機構１３０に結合される。磁石１２０の回転軸１２２は、ハウジング１１０の底面１１２とほぼ平行である。磁石１２０は、ハウジング１１０が磁気シート１８０上を摺動するとき、磁気シート１８０の面から高さｈ１または高さｈ２（ｈ１＞ｈ２）の位置を選択可能である。Ｎ極からＳ極に向かう磁界または磁力線は、ハウジング１１０の底面１１２を超えて磁気シート１８０に作用する。磁石１２０が回転されると、磁石１２０の磁力線が変化し、変化した磁力線が磁気シート１８０に作用し、磁気シート１８０に描画された文字等を、磁気シート１８０の表面側（磁気ペンにより描画した記載面側）から、あるいは裏面側から消去することができる。
【００２０】
本実施例では、磁石１２０の高さを、ｈ１またはｈ２に変更することができる。磁気シート１８０の消去に作用するパラメータは、（１）磁石１２０のガウス（強さ）、（２）磁石１２０から磁気シート１８０の面までの距離、（３）磁石の回転数である。消去を行うとき、これらのパラメータを調整することで、最適な範囲および方向で磁力線が磁気シート１８０に作用させるようにすることが望ましい。また、磁気シート１８０に描画された文字等は、時間が経過すると、最適な磁力線の方向が異なることがある。そのような場合、磁石１２０の高さをｈ１またはｈ２に変化させることで、あるいは磁石１２０の回転数を変化させることで、文字等が消去され易くなる磁力線の方向または磁力の強度を選択できるようにする。磁石１２０の高さの調整方法は、後述する。
【００２１】
回転機構１３０は、回転軸１２２に接続された歯車１３２、歯車１３２と噛合する歯車１３４とを含む。歯車１３２、１３４の径により、磁石１２０の高さをｈ１に調整することができる。また、磁石１２０と歯車１３２を、歯車１３４の回転軸を中心とする２つの位置間で移動可能にすることで、磁石１２０の高さをｈ１からｈ２に変更することができる。さらに、磁石１２０の高さｈ１、ｈ２の変更は、リンク機構等の公知の技術を利用して行うことができる。
【００２２】
モーター１４０は、歯車１３４に結合され、歯車１３４を回転させる。歯車１３４の回転により、歯車１３２、回転軸１２２を介して磁石１２０が回転される。ここでは２つの歯車１３２、１３４を用いているが、歯車の数は、任意である。また、歯車は、平歯車、ウォームギア、傘歯車等、その種類は問わない。あるいは、動力伝達機構は、歯車に代えて、ベルトを用いるものであってもよい。また、回転機構１３０は、モーター１４０の回転方向を異なる方向、例えば直交する方向に変換する機能を備えるようにしてもよい。
【００２３】
制御基盤１５０は、モーター１４０の駆動を制御するための電子回路を搭載する。電子回路は、例えば、マイクロコンピュータやモーター１４０を駆動する回路等を含むことができる。マイクロコンピュータは、モーター１４０を予め設定された回転数で回転させたり、あるいは、ユーザー入力によってモーター１４０の回転数を変化させる制御を行うことが可能である。この場合、ユーザー操作部１５４がハウジング１１０上に搭載され、ユーザー入操作部１５４から入力された信号がマイクロコンピュータへ提供される。
【００２４】
制御基盤１５０は、スイッチ１５２を介して電池１６０に接続され、スイッチ１５２がオンされたとき、電池１６０からの電力が制御基盤１５０へ供給される。制御基盤１５０は、電力が供給されると、動作可能な状態になり、モーター１４０の駆動が可能になる。スイッチ１５２は、例えば、ユーザーによってオン／オフされる。この場合、ユーザー操作部１５４がハウジングの表面に設けられる。あるいは、スイッチ１５２は、ユーザー等の物体を接触または接近を検知する検知センサに応じてオン／オフするものであってもよい。この場合、検知センサは、ハウジング１１０の任意の面に取り付けられ、検知センサの検知結果がマイクロコンピュータへ提供され、マイクロコンピュータがスイッチ１５２のオンまたはオンを制御する。
【００２５】
電池１６０は、任意の形状、大きさであることができる。また、電池１６０は、充電可能な二次電池であってもよい。
【００２６】
上記したように、磁気消去具１００を磁気シート１８０上で移動させると、磁石１２０からの磁力線が磁気シート１８０に作用し、そこに描画された文字等を消去することができる。このとき、消去する範囲は、磁石１２０の軸方向の長さＬ１によって規定される。文字等を消去する場合には、磁石１２０を回転させることが好ましいが、磁石１２０の回転を停止させた状態で消去を行うことも可能である。磁石１２０を回転させたときの消去能力は、磁石１２０を静止させたときの消去能力よりも高く、すなわち、磁石１２０を回転させたときには、消去時間が短く、かつきれいに消去することができる。磁石１２０を静止して消去する場合には、磁石１２０が磁気シート１８０に対して消去可能な位置に停止されている必要がある。
【００２７】
図１（Ｂ）は、第１の実施例の変形例である。磁気消去具１００によって磁気シート１８０上の比較的大きな面積を一括で消去したい場合には、磁石１２０により生じる磁力線の範囲を大きくすればよい。例えば、図１（Ｃ）に示すように、複数の円柱状の磁石１２０−１、１２０−２、１２０−３の中心が軸１２２によって連結され、３つの磁石１２０−１、１２０−２、１２０−３が同時に回転されるようにする。この際、３つの磁石１２０−１、１２０−２、１２０−３の極が同じ方向を向き、３つの磁石が回転されたとき、そこから生じる磁力線の変化が等しくなるようにする。また、各磁石１２０−１、１２０−２、１２０−３は、軸方向に一定の間隔Ｌｎで連結されるようにしてもよい。
【００２８】
次に、本発明の第２の実施例について図２を参照して説明する。第２の実施例に係る磁気消去具２００は、広範囲および小範囲で文字等を消去することができる機能を備える。第２の実施例の磁気消去具２００は、第１の実施例と同様の構成については、同一参照番号を付してある。
【００２９】
磁気消去具２００は、第１の実施例の構成に加えて、小範囲の消去を可能とする小範囲消去部２１０を備える。小範囲消去部２１０は、ハウジング１１０の一側面に設けられる。例えば、ハウジング１１０が幅Ｗ、高さＨ、奥行きＤであるとき、小範囲消去部２１０は、例えば、磁石１２０が回転する軸方向上の側面１１４に取り付けられる。
【００３０】
小範囲消去部２１０は、概ね円筒状のハウジング２２０と、ハウジング２２０内に収容される小型の磁石２３０と、ハウジング２２０の外周上を軸方向に沿って移動可能な磁気シールドリング２４０と、ハウジング１１０内の磁石１２０からの磁力線を遮蔽する磁気シールド板２５０とを含んで構成される。
【００３１】
ハウジング２２０は、磁力線を透過可能な材料、例えばプラスチックから構成される。ハウジング２２０は、一方の端部２２２が半球状で閉じ、他方の端部２２４が開放し、他方の端部２２４がハウジング１１０の側面１１６のほぼ中心部に結合される。他方の端部２２４の円形状の開口は、側面１１６の高さＨ、奥行きＤよりも小さい。
【００３２】
ハウジング２２０の内部空間には、磁石１２０と同軸上で回転可能な磁石２３０が配置される。１つの態様では、磁石１２０の回転軸１２２Ａがハウジング１１０の側面１１４を貫通し、ハウジング２１０内まで延在し、磁石２３０が回転軸１２２Ａに取り付けられる。磁石２３０は、例えば、回転軸１２２Ａの方向にＮ極とＳ極とが着磁された円板状を有する。磁石２３０は、ハウジング２２０の半球状の端部２２２に対して一定の距離に位置決めされる。
【００３３】
磁気シールドリング２４０は、ハウジング２２０の軸方向を任意に移動することができる。移動の方法は、特に制限されないが、例えば、ハウジング２２０と一定の摩擦力が生じるように磁気シールドリング２４０が自由に移動され、所望の位置に停止される。あるいは、磁気シールドリング２４０の内面に凹または凸を形成し、ハウジング２２０の外面に凸または凹を形成し、両者の凹凸が係合する位置で磁気シールドリング２４０の移動を停止させるようにしてもよい。あるいは、磁気シールドリングは、ハウジング２２０の外周に形成されたネジ溝を利用して、回転することで軸方向に移動できるようにしてもよい。磁気シールドリング２４０は、磁石２３０が磁気シート１８０に及ぼす磁力線の範囲を調整するものであり、磁気シールドリング２４０がハウジング２２０の半球状の端部２２２に近接すると、磁石２３０の磁力線が横方向（ハウジングの軸方向と垂直方向）に制限され、消去範囲が狭められ、たほう、磁気シールドリング２４０が他方の端部２２４側に移動されると、磁石２３０の磁力線の横方向の範囲が広がり、消去範囲が拡大される。
【００３４】
磁気シールド板２５０は、ハウジング１１０とハウジング２２０との間に磁気的な絶縁を提供する。図に示す例では、ハウジング１１０の側面１１４の全体に磁気シールド２５０が設けられているが、磁気シールド板２５０は、ハウジング２２０の他方の端部２２４側に設けられてもよい。
【００３５】
図２（Ａ）に示すように、ハウジング２２０の半球状の端部２２２を、磁気シート１８０上を移動させ、磁石２３０からの磁力線を磁気シート１８０に作用させることで、磁気シート１８０上の小範囲の文字等を消去することができる。本例では、ハウジング２２０の一方の端部を半球状にすることで、ハウジング２２０の回転軸と磁気シート１８０との成す角度θを任意に選択することができる。角度θを可変することで、磁石２３０と磁気シート１８０との間の距離を調整し、最も消去し易い角度θを得ることができる。本例では、ハウジング２２０の一方の端部を半球状にしているが、これは一例であり、きれいに消去できるように、距離Ｌ１、Ｌ２、…、Ｌｎを実験的に検討し、それに基づき先端部の形状を決定するようにしてもよい。先端部の形状は、θ＝９０°〜３０°の範囲で消去できるようにすることが望ましい。なお、小範囲消去部２１０による消去を行うとき、磁石２３０は静止状態であってもよいし、回転された状態であってもよい。
【００３６】
上記実施例では、磁石２３０が磁石１２０と同軸の例を示したが、両磁石は、必ずしも同軸であることを要しない。例えば、図２（Ｃ）に示すように、磁石１２０と磁石２３０との間に複数の歯車２６０、２６２、２６４を介在させることで、磁石１２０の回転軸１２２と、磁石２３０の回転軸１２２Ａとを離間させることができる。このような構成にすることで、レイアウトの自由度が広がり、例えば、図２（Ｄ）に示すように、小範囲消去部２１０を、ハウジング１１０の中心位置から上方にオフセットさせることができる。さらに、複数の歯車のギア比を適宜選択することで、磁石２３０にとっても最適な消去回転を設定するようにしてもよい。この場合、磁石２３０の回転数は、必ずしも磁石１２０の回転数とは一致しない。
【００３７】
次に、磁気シールドリングの詳細な動作について図３を参照して説明する。上記したように磁気シールドリング２４０は、例えば、鉄等の磁性体材料から構成され、ハウジング２１０上を軸方向に移動可能であり、その移動により磁石２３０の磁力線の範囲を調整する。図３は、磁気シールドリング２４０の位置と、そのときの消去範囲との関係を例示する図である。磁石２３０は、その表面から磁気シート１８０までの距離ｈが最適に設定されている。磁石２３０が回転することにより、Ｎ極からＳ極に向かう磁力線が変化し、その変化した磁力線が磁気シート１８０に作用する。
【００３８】
図３（Ａ）に示すように、磁気リングシート２４０が磁石２３０よりも手前側にあるとき、すなわち、磁気リングシート２４０と磁気シート１８０との間の距離Ｐ１が最適距離ｈよりも大きいとき（Ｐ１＞ｈ）、磁石２３０の磁力線は、磁気リングシート２４０による干渉が生じない。このため、最適距離ｈに応じた消去範囲（２×ｒ１）において磁気シート１８０上の文字等をきれいに消去することができる。
【００３９】
磁気リングシート２４０を、図３（Ｂ）に示すように、磁気シート１８０の方向へ移動させ、磁気リングシート２４０の先端部分が磁石２３０にオーバーラップさせる。つまり、磁気リングシート２４０と磁気シート１８０との間の距離Ｐ２が最適距離ｈよりも小さくなると（Ｐ２＜ｈ）、磁石２３０のＮ極から出てＳ極に戻る磁力線の横方向（磁石２３０の回転軸と直交する方向）の大きさが幾分制限される。このため、消去範囲（２×ｒ２、ｒ２＜ｒ１）が狭められる。
【００４０】
図３（Ｃ）に示すように、磁気リングシート２４０をさらに磁気シート１８０に向けて移動させ、磁気リングシート２４０と磁気シート１８０との間の距離Ｐ３を小さくする（Ｐ３＜ｈ、Ｐ３＜Ｐ２）。そうすると、磁石２３０が磁気シート１８０に作用する磁力線の横方向の大きさがさらに制限され、その結果、非常に小さな消去範囲（２×ｒ３、ｒ３＜ｒ２）を得ることができる。磁気シート１８０に描画された非常に細かな面積を消去するときに効果的である。
【００４１】
次に、本発明の第３の実施例について図４を参照して説明する。同図において、第１および第２の実施例と同一構成については同一参照番号を附す。第３の実施例は、磁気消去具のモーターの消費電力の削減方法に関する。
【００４２】
同図に示すように、第３の実施例に係る磁気消去具３００は、ハウジング１１０内に、磁石１２０、回転機構１３０、モーター１４０、制御基盤１５０および電池１６０を含む。磁石１２０と磁気シート１８０との間に、鉄等の金属部材が存在すると、磁石１２０が金属部材と引き合うため、磁石１２０が回転し難くなり、モーター１４０の消費電流が増加する。つまり、磁石１２０、または図４（Ｂ）に示すように、Ｎ極とＳ極の磁石３１０の場合、Ｎ極からＳ極に向かう磁力線の磁力作用が大きい方向Ｓａ、Ｓｂに鉄のような金属部材３２０があると、磁石が引き合い、磁石が回転し難くなる。そこで、第３の実施例では、磁石１２０とハウジング１１０の底面１１２との間の磁石１２０の円周方向には、モーター１４０、制御基盤１５０および電池１６０を設置しない。また、ある実施例では、ハウジング１１０の内部空間は、回転軸と垂直方向の隔壁３３０によって２つに分割され、一方の内部空間に磁石１２０が配置され、これと水平方向に位置する他方の内部空間に回転機構１３０、モーター１４０、制御基盤１５０および電池１６０が配置される。隔壁１３０の材料は特に制限されないが、例えば、磁石１２０の磁力が引きつけられるのを防止するために非磁性体材料から構成されることが望ましい。磁石１２０が磁性体材料からなる隔壁１３０に引きつけられてしまうと、磁石１２０が回転し難くなり、磁石１２０を駆動するための消費電力が大きくなってしまう。
【００４３】
上記したように、磁石１２０の円周方向に金属製の部材を設置しないようにすると、磁気消去具が水平方向（横方向）に延び、小型化が難しくなる。第３の実施例の変形例では、磁石１２０からできるだけ離れるように電池やモーターを配置することで、消費電力の削減と小型化とを両立させる。
【００４４】
図４（Ｃ）は、第４の実施例に係る磁気消去具の内部構成を模式的に示した概略正面図、図４（Ｄ）は、内部構成を模式的に示した概略側面図である。磁気消去具４００は、ハウジング１１０内に、磁石１２０、モーター１４０、制御基盤１５０、電池１６０等を含む。磁石１２０は、歯車３５０、３５２、３５４を介してモーター１４０の駆動軸に結合される。磁石１２０は、ハウジング１１０内のやや上方の真中に配置され、電池１６０とモーター１４０は、ハウジング１１０の底面１１２のコーナー部分に離間して「ハ」の字のように配置される。磁石１２０から出来るだけモーター１４０および電池１６０を遠ざけることで、磁石１２０がモーター１４０および電池１６０と引き合う磁力が打ち消し合うことで分散され、磁石１２０を回転させるときの負荷を小さくすることができる。その結果、モーター１４０による消費電力の削減を図ることができ、電池１６０の寿命を延ばすことができる。また、１つのハウジング１１０内に、磁石１２０、モーター１４０、制御基盤１５０、電池１６０等を配置することで、磁気消去具の小型化を図ることができる。
【００４５】
次に、本発明の第５の実施例について図５を参照して説明する。第５の実施例に係る磁気消去具５００は、図５（Ａ）に示すように、コーナー部分が面取りされたハウジング５１０を含む。すなわち、ハウジング５１０は、上面５１０−１、左側面５１０−２、底面５１０−３、右側面５１０−４を含み、それらの各面の間に傾斜した面５１０−Ａ、５１０−Ｂ、５１０−Ｃ、５１０−Ｄが形成されている。上記した実施例と同様に、ハウジング５１０内には、モーター１４０によって回転される円筒状の磁石１２０が取り付けられる。
【００４６】
第５の実施例では、ハウジング５１０の上面５１０−１、左側面５１０−２、底面５１０−３、右側面５１０−４は、それぞれが磁気シートに対して摺動可能であり、磁気シート上で摺動されたとき磁気シートに描画された文字等を消去することができる。ここで留意すべきは、磁石１２０の回転軸から４つの面までの距離がそれぞれ異なり、磁気シートに対して異なる大きさおよび／方向の磁力線を作用させることができる。具体的には、磁石１２０の回転軸から上面５１０−１、左側面５１０−２、底面５１０−３、右側面５１０−４までの各面と直交する距離は、Ｌ１、Ｌ２、Ｌ３、Ｌ４であり、Ｌ１＞Ｌ２＞Ｌ３＞Ｌ４の関係にある。ユーザーは、文字等をきれいに消去することができる面を選択し、選択された面を磁気シート上で摺動させることができる。
【００４７】
さらにハウジング５１０の傾斜した４つ面５１０−Ａ、５１０−Ｂ、５１０−Ｃ、５１０−Ｄの先端面Ｅには、それぞれ４つの磁石５２０が取り付けられる。先端面Ｅは、図５（Ｂ）に示すように、磁石１２０の回転軸に対して垂直な平面であってもよいし、あるいは、回転軸に対して傾斜した面であってもよい。このような先端面Ｅに、磁石５２０が取り付けられる。磁石５２０は、好ましくは、保護部材５２２で覆われる。この場合、保護部材５００は、磁力線を透過できる非磁性体材料から構成され、また、磁石５２０の表面は、保護部材５２２の先端から消去可能な距離に設定される。磁石５２０の数や形状は、任意であり、例えば、図５（Ｃ）に示すように、単板構造の磁石、複数の磁石、リング状の磁石であることができる。さらに、４つ面５１０−Ａ、５１０−Ｂ、５１０−Ｃ、５１０−Ｄの各先端面Ｅに取り付ける各磁石は、同一である必要はなく、磁石のサイズや向きを適宜選択することで、異なる大きさの磁力線または異なる方向の磁力線が生成されるようにしてもよい。
【００４８】
先端面Ｅに取り付けられた磁石５２０は、磁気シート上の細かい範囲の文字等を消去可能にするものである。そのような場合、ユーザーは、先端面Ｅを磁気シート上で摺動させることで消去を行う。磁気シートの特性として、描画後、時間の経過と共に消去しづらくなるため、通常より強い磁力線（磁場）が必要となることがある。但し、過度の磁力線を印加すると消去できるが、白い面が灰色になり易くなる。第５の実施例では、ハウジング５１０の上面５１０−１、左側面５１０−２、底面５１０−３、右側面５１０−４のいずれかを選択し、選択した面を磁気シート上で摺動させるだけで、異なる強さの磁力線を磁気シートに印加することができる。
【００４９】
図５（Ｄ）は、第５の実施例の変形例である。図２に示す第２の実施例では、小範囲消去部２１０の磁石２３０は、磁石１２０ととものモーター１４０によって回転可能な構成であったが、図５（Ｄ）に示す磁気消去具では、ハウジング１１０のコーナー部分に小範囲消去部５５０が設けられ、小範囲消去部５５０内に配置された磁石５６０は、静止している。このような構成であっても、小範囲消去部５５０を磁気シート上で摺動させることで、小範囲消去部５５０の磁石５６０からの磁力線を磁気シートに印加することで小範囲の消去が可能である。
【００５０】
次に、本発明の第６の実施例について図６を参照して説明する。第６の実施例に係る磁気消去具６００は、各コーナーに消去が可能な磁石を備えている。磁気消去具６００は、ハウジング６１０、磁石６２０、モーター６３０、電池６４０、制御基盤６５０を含む。ハウジング６１０の先端の面取された４つコーナー部分には、それぞれ磁石６６０が設置される。磁石６２０を収容する空間と、磁石６６０を収容する空間は、例えば、磁気シールド板６７０によって分離されている。このような磁気消去具６００の角部を利用することで、磁気シート上の小範囲の消去が可能になる。
【００５１】
次に、本発明の第７の実施例について図７を参照して説明する。第７の実施例に係る磁気消去部７００は、ハウジング先端部７１０がハウジング本体部７２０に対して軸方向に移動可能な構成を有している。ハウジング本体部７２０は、軸方向に延在する円筒部分７２２を有し、円筒部分７２２の内部には、軸方向に延びる回転軸７３２と、回転軸７３２に接続された磁石７３０とが配置される。また、ハウジング本体部７２０の内部には、上記実施例と同様に、モーターや電池等が内蔵されている。
【００５２】
ハウジング先端部７１０は、円筒部分７２２上を軸方向に移動可能に構成され、かつ、ハウジング先端部７１０は、円筒部分７２２の外周に巻回されたコイルスプリング７１２によって、ハウジング本体部７２０から離間する方向に付勢されている。ユーザーは、磁気消去具７００を磁気シート１８０に押圧させるとき、その押圧力を調整することで、ハウジング先端部７１０の位置を調整することができる。
【００５３】
例えば、図７（Ａ）に示すように、ハウジング先端部７１０がハウジング本体部７２０から大きく離間されたとき、磁石７３０から磁気シート１８０までの距離はＤ１であり、半径ｒ１の小範囲の消去が可能である。また、図７（Ｂ）に示すように、ユーザーが幾分強い力で磁気消去具７００を磁気シート１８０に対して押圧すると、コイルスプリング７１２に抗してハウジング先端部７１０がハウジング本体部７２０に接近し、磁石７３０から磁気シート１８０までの距離がＤ２となる（Ｄ２＜Ｄ１）。その結果、磁石７３０から磁気シート１８０へ作用する磁力線が大きくなり、半径ｒ２の比較的大きな範囲の消去が可能になる（ｒ２＞ｒ１）。
【００５４】
さらに、第２の実施例のときと同様に、ハウジング先端部７１０の外周上を軸方向に移動可能な磁気シールドリング７４０を設け、磁気シールドリング７４０を移動させることで磁石７３０の磁力線の微細な調整を行い、消去可能な範囲を可変するようにしてもうよい。
【００５５】
次に、本発明の第８の実施例について図８を参照して説明する。第８の実施例は、磁石１２０を静止させた状態で消去を可能にする。例えば、電池１６０の残量がなくなったとき、モーター１４０による回転が停止され、磁石１２０は静止するが、磁石１２０の静止位置が所定の位置にあれば、磁気シート１８０上の文字等を消去することが可能である。但し、磁石１２０を回転させたときの消去能力（短時間で消去でき、かつきれいな消去が可能）は、磁石１２０を静止させたときの消去能力よりも高い。例えば、図８（Ｂ）に示すように、磁気シート１８０に対して磁石１２０を傾斜させた状態で移動させるとき、磁石１２０の静止位置によっては、磁石１２０からの磁力線が磁気シート１８０に作用し、消去を行うことができる。
【００５６】
第８の実施例の磁気消去具８００は、磁石１２０の静止位置を調整するための回転ネジ８１０を含む。ハウジング１１０の表面には、回転ツマミ８１０を露出させるための溝が形成され、ユーザーは、回転ツマミ８１０を回転させることで磁石１２０の静止位置を設定する。回転ツマミ８１０は、例えば、磁石１２０の回転軸１１２と同軸上の回転軸８２０に接続される。回転ツマミ８１０を操作することで、磁石１２０の静止位置を調整し、図８（Ｂ）に示すように磁石１２０の傾斜角θを決定する。また、好ましくは、回転ツマミ８１０には、消去が可能となる磁石１２０の静止位置をユーザーが容易に設定できるようにするための識別マーク８１２が設けられる。識別マーク８１２の形態は任意であり、例えば、回転ツマミ８１２の外周部に特定の色彩を施したり、あるいは特定の形状を施すことができる。
【００５７】
次に、本発明の第９の実施例について図９を参照して説明する。第９の実施例では、複数の磁石のうちの１つの磁石をモーターで回転させ、他の磁石をその回転に連動させる。
図９（Ａ）は、３つの磁石１２０−１、１２０−２、１２０−３の斜視図、図９（Ｂ）は、３つの磁石の正面図である。磁石１２０−１、１２０−２、１２０−３は、それぞれ適切な間隔で互いに軸方向が平行になるように配置される。モーターによりどの磁石を回転させるかは任意であるが、本例では、中央の磁石１２０−２がモーターによって回転される。図９（Ｃ）は、磁石１２０−２がモーターによって角度θだけ回転されたときの状態を示している。隣接する磁石１２０−１、１２０−３は、磁石１２０−２との磁力線の作用により、磁石１２０−２と反対方向に回転する。このように複数の磁石を回転させることで、広範囲の消去を行うことができ、同時に、１つの磁石のみを回転させればよいので、複数の磁石を回転させる場合と比較して消費電力の増加を抑制することができる。
【００５８】
また、第９の実施例においても、第８の実施例を適用することができる。磁石１２０−２がある角度θにあり、他の磁石がそれと連動した静止位置にあるとき、消去力が増加する。第８の実施例のときと同様に、ユーザーが回転ツマミを操作することで、磁石１２０−２の静止位置を調整することができる
【００５９】
次に、本発明の第１０の実施例について図１０を参照して説明する。磁気シート面に描画された文字等をきれいに消去するためには、最適な磁力が必要になる。最適値よりも磁力が強いと、消去力は強いが、消去後の磁気シートは最適な白色にならず、灰色気味になる。そこで、第１０の実施例の磁気消去具は、同図に示すように、中央の磁石１２０−２の磁力が最適値よりも大きくなるように磁気シート１８０からの距離をｈ２にし、両側の磁石１２０−１、１２０−３の磁力が最適値になるように距離ｈ２よりも大きいｈ１、ｈ３にする（ｈ２＜ｈ１≦ｈ３）。距離ｈ２の磁石１２０−２は、磁力Ｂ２が強いため消去力が大きくなり、消去後に灰色となるが、ｈ１、ｈ３の磁石１２０−１、１２０−３の最適値の磁力Ｂ１、Ｂ３により灰色が白色になる（Ｂ２＞Ｂ１≧Ｂ３）。これにより、例えば、時間経過後に消去がしにくくなる文字等をきれいに消去することができる。
【００６０】
また、上記の例では、磁石から磁気シートまでの距離を変えることで磁力線の強度を異ならせたが、これに限らず、３つの磁石の磁気シートからの距離を全て同じにし、磁石の強度（ガウス）を変えることで、同様の効果を得ることができる。
【００６１】
次に、本発明の第１１の実施例について図１１（Ａ）を参照して説明する。第１１の実施例に係る磁気消去具１１００は、概略矩形状のハウジング８００を有し、一方の端部８１０には、第２の実施例のときと同様に、磁石２３０を内部に収容する小範囲消去部２１０が設けられる。第１１の実施例では、ハウジング８００の４つの面８２０、８２２、８２４、８２６が消去面となる。磁石１２０の回転軸の中心は、４つの面８２０、８２２、８２４、８２６からの直線距離Ｌ１、Ｌ２、Ｌ３、Ｌ４がそれぞれ異なるように位置決めされ、４つの消去面の各々から磁気シートに作用する磁力の強さがそれぞれ異なる。
【００６２】
また、本実施例では、１つの面、例えば、底面８２６がハウジング８００に傾斜面を提供するように取り付けられる。底面８２６の一方の端部は、軸８３０によってハウジング８００に回転可能に支持され、軸８３０には、底面８２６を離間する方向に付勢するようにコイルバネ８４０が巻回されている。ユーザーが、コイルスプリング８４０に抗して底面８２６を磁気シートに押圧すると、それに応じて傾斜が小さくなるように底面８２６が回転する。このように底面８２６の傾斜角を可変にすることで、磁石１２０から磁気シートへ作用する磁力の大きさを可変することができ、消去のための最適な距離を容易に選択することができる。また、好ましい態様では、底面８２６の表面には、磁気シート上にホワイトボード用のマーカーが描画されたときに、これを同時に消去することができるフェルト材８２７が設けられる。
【００６３】
図１１（Ｂ）は、第１１の実施例の変形例である。本例は、底面８２６が可動式ではなく固定されている。４つの面８２０、８２２、８２４、８２６の各表面には、フェルト材８２７が設けられる。
【００６４】
次に、本発明の第１２の実施例について説明する。図１２は、第１２の実施例の詳細な構成を示す概略断面図である。同図において、磁気消去具１２００は、先端が開放した円筒状のハウジング本体部９００と、ハウジング本体部９００の先端に取り付けられた、端部が閉じた円筒状のハウジング先端部９１０とを含む。ハウジング先端部９１０は、コイルスプリング９２０によってハウジング本体部９００から離れる方向に付勢される。
【００６５】
ハウジング本体部９００内には、モーター９３０と、モーター９３０の回転軸に接続された円筒状の磁石保持部材９４０とが配置される。磁石保持部材９４０は、開放された先端に取り付けられたリング状の磁石９５０と、その内部空間の底部に取り付けられた円形状のバネ支持部材９６０と、バネ支持部材９６０から突出する軸に一方の端部が固定され、他方の端部が連結軸９７０に固定されたコイルバネ９８０とを有する。連結軸９８０は、磁石９５０の中央の孔を介して軸方向に延び、その一端がコイルバネ９８０によって支持され、他端に磁石９９０が取り付けられている。
【００６６】
図１２（Ａ）に示すように、ハウジング先端部９１０がハウジング本体部９００から最も離間された位置にあるとき、磁石９９０は、磁気シート１８０から距離ｈ１であり、磁石９５０は、距離ｈ２である。距離ｈ２は、磁石９５０が磁気シート１８０に磁力の影響を与えない位置であり、距離ｈ１は、磁石９９０の最適な消去位置である。モーター９３０の駆動により磁石９５０および磁石９９０が回転し、この状態でハウジング先端部９１０を磁気シート１８０上で移動させれば、磁石９９０による比較的小範囲の消去が可能である。
【００６７】
図１２（Ｂ）に示すように、ハウジング本体部９００を磁気シート１８０に対して押下すると、コイルスプリング９２０のバネ力に抗してハウジング本体部９００とハウジング先端部９１０との間の距離が縮まり、磁石保持部９４０が磁気シート１８０に接近する。このとき、磁石９９０の距離ｈ２は変わらないが、磁石９５０から磁気シート１８０までの距離はｈ３に変化する。距離ｈ３は、磁石９５０の最適な消去位置である。モーター９３０の駆動により磁石９５０および磁石９９０が回転し、この状態でハウジング先端部９１０を磁気シート１８０上で移動させれば、磁石９９０と磁石９５０の合成した磁力が磁気シートに作用し、比較的大きな範囲の消去が可能になる。
【００６８】
本発明は、上記した実施例１ないし１２がそれぞれ単独で実施されるものでも良いし、実施例１ないし１２の複数のものが適宜組み合わされて実施されるものであってもよい。
【００６９】
図１３（Ａ）に、本実施例の磁気消去具を利用することができる好ましい磁気シートの一例を示す。磁気シート１８０は、磁界を透過可能な透明なシートであって、磁気シートの表示面を構成する表面シート１８２、表面シート１８２と対向する裏面シート１８４、表面シート１８２と裏面シート１８４との間の空間内に２次元状に配置された複数のマイクロカプセル１８６を含んで構成される。なお、複数のマイクロカプセル１８６は、図示しないケースに収容される。
【００７０】
ある実施態様では、マイクロカプセル１８６は、例えば透明な球状のセル内に、粒径が０．１μｍ〜１．０μｍの磁性粒子を１種類以上、粒径が１μｍ〜２０μｍの磁性粒子を１種類以上、白色酸化チタン等の非磁性粒子、分散液、添加剤を内蔵する。マイクロカプセルの大きさは、例えば５０〜６５０μｍである。このような磁気泳動型の磁気パネルは、例えば特許文献３に開示されており、以下の特徴を有する。
ａ．水平の磁力線で小さい粒子が磁力線の方向に反応しやすい。
ｂ．垂直の磁力線を有する磁気ペンでは、大、小の磁性粒子が反応して表面側が黒くなり、文字を描画することができる。
ｃ．磁気パネルの表面から消去する場合、水平の磁力線に反応しやすい小さい粒子に水平のみ磁力線を作用させれば、小さい粒子が磁力線の方向に泳動して白くなる。このとき、大きい粒子はほとんど反応しないため"黒“のままの状態であり、表面から見ると黒が透けて見えるので完全には、白にならずコントラストの低下が生じる。
ｄ．文字を消去するためには水平の磁力線を作用させればよく、逆に水平の磁力線を有する磁気ペンは、自ら書いた文字を即座に消去するため、不具合を生じさせる。
【００７１】
表面シート１８２上の磁気ペン（図示省略）によりマイクロカプセル１８６に磁界が作用されると、磁気ペンの垂直方向の磁力線に反応してマイクロカプセル１８６内の黒色の磁石粒子が表面側に泳動する。こうして、表面シート１８２上を磁気ペンを移動させれば、その移動に従いマイクロカプセル１８６内の磁性粒子が泳動し、画像が形成される。一方、画像を消去する場合は、表面シート１８２上において磁気消去具１００の水平方向の磁力線に反応して小さい粒子が表面側に泳動し、画像が消去される。この場合、消去用磁石と表面シート１８２との間には一定のクリアランスを設けることで、磁気パネルに対して水平な磁力線を多く作用させることが望ましい。
【００７２】
また、上記実施例では、磁石を回転させるための動力源としてモーターおよび電池を利用する例を示したが、本発明の磁気消去具は、モーターおよび電池に代えて、例えば、ゼンマイバネのような弾性変形可能な部材を動力源にすることが可能である。例えば、磁石の回転軸にゼンマイバネが接続され、手動によりゼンマイバネを駆動してそこにエネルギーを蓄えさせておき、そのエネルギーを使用して磁石を回転させるようにしてもよい。
【００７３】
以上、本発明の好ましい実施の形態について詳述したが、本発明は、特定の実施形態に限定されるものではなく、特許請求の範囲に記載された本発明の要旨の範囲内において、種々の変形・変更が可能である。
【符号の説明】
【００７４】
１００：磁気消去具
１１０：ハウジング
１１２：底面
１２０：磁石
１２２：回転軸
１３０：回転機構
１３２、１３４：歯車
１４０：モーター
１５０：制御基盤
１５２：スイッチ
１５４：ユーザー操作部
１６０：電池
１８０：磁気シート
２００：磁気消去具
２１０：小範囲消去部
２２０：ハウジング
２３０：磁石
２４０：磁気シールドリング
２５０：磁気シールド板
【図１】
2019072908.tif 000003
【図２】
2019072908.tif 000004
【図３】
2019072908.tif 000005
【図４】
2019072908.tif 000006
【図５】
2019072908.tif 000007
【図６】
2019072908.tif 000008
【図７】
2019072908.tif 000009
【図８】
2019072908.tif 000010
【図９】
2019072908.tif 000011
【図１０】
2019072908.tif 000012
【図１１】
2019072908.tif 000013
【図１２】
2019072908.tif 000014
【図１３】
2019072908.tif 000015